(57)【要約】【課題】引戸を開閉する際の手掛かりが十分に取れ、引戸本体が戸袋に完全に引込んだ状態であっても引戸の両面側から容易に引出し操作ができ、手触り感が良く、操作性及びデザイン性に優れた引手及びこの引手を備えた引戸を提供する。【解決手段】引手は、上側腕部、下側腕部、並びに上側腕部及び下側腕部を連結する連結腕部を有し、断面が開口端を有するコ字形状となるように構成されており、引戸の木口端に形成された切欠き凹部に嵌合して固着される枠部材と、開口端側の上側腕部及び下側腕部間に差し渡して設けられた手掛かり部材と、枠部材の連結腕部及び手掛かり部材間において、上側腕部及び下側腕部に軸支される回動軸を中心として回動自在に枠部材に装着された仕切り板とを備え、回動軸は仕切り板の連結腕部側に位置しており、仕切り板は枠部材の開口端側に向かって厚みが徐々に増大するテーパ部を有している。【選択図】図１
2015200135.tif 000002
【特許請求の範囲】
【請求項１】
上側腕部、下側腕部、並びに該上側腕部及び該下側腕部を連結する連結腕部を有し、断面が開口端を有するコ字形状となるように構成されており、引戸の木口端に形成された切欠き凹部に嵌合して固着される枠部材と、
前記開口端側の前記上側腕部及び前記下側腕部間に差し渡して設けられた手掛かり部材と、
前記枠部材の前記連結腕部及び前記手掛かり部材間において、前記上側腕部及び前記下側腕部に軸支される回動軸を中心として回動自在に前記枠部材に装着された仕切り板とを備え、
前記回動軸は前記仕切り板の前記連結腕部側に位置しており、前記仕切り板は前記枠部材の前記開口端側に向かって厚みが徐々に増大するテーパ部を有していることを特徴とする引手。
【請求項２】
前記仕切り板の前記他方の端部の表面が凸円弧状断面を有しており、前記手掛かり部材の前記仕切り板側の表面が、前記凸円弧状断面と対応する凹円弧状断面を有していることを特徴とする請求項１に記載の引手。
【請求項３】
前記枠部材の前記上側腕部の下面及び前記下側腕部の上面に前記仕切り板の回動角度を制限するストッパがそれぞれ設けられていることを特徴とする請求項１又は２に記載の引手。
【請求項４】
前記手掛かり部材は、前記引戸の戸板厚より薄い厚さを有しており、該厚さ方向の両面に凹溝が形成されていることを特徴とする請求項１から３のいずれか１項に記載の引手。
【請求項５】
前記枠部材を両側面から装着され、前記切欠き凹部に嵌合可能な１対のコ字形状フレームをさらに備えていることを特徴とする請求項１から４のいずれか１項に記載の引手。
【請求項６】
請求項１から５のいずれか１項に記載の引手を備えたことを特徴とする引戸。
【発明の詳細な説明】
【技術分野】
【０００１】
本発明は、引戸等の端部に設けられる引手及びこの引手を備える引戸に関する。
【背景技術】
【０００２】
従来、襖や障子等、部屋や建物等の出入口に設けられる引戸には、その両方の戸面の所定位置に、引戸を開閉するための引手がそれぞれ取り付けられている。一般に、引手は、指が掛けられる指掛け凹部とこの指掛け凹部を戸面の所定位置に固定するための取り付け鍔部とを有し、それらが一体成形されて、戸面の所定位置に穿孔される取り付け凹部に嵌め込み取り付けるようにしてある（例えば、特許文献１）。
【０００３】
しかしながら、特許文献１に係る引戸のように引手が戸面に設けられている場合、引戸を完全には引込みさせずその端縁部を戸袋から突出させて手掛かりとなる引き残しを設けておく必要があるため、この引き残し分だけ引戸の有効開口が狭くなってしまう。これを解決するために、引戸本体が戸袋に完全に引込まれた状態であっても指を掛けることができる引手が提案されている（例えば、特許文献２及び３）。
【０００４】
特許文献２に係る引手は、引戸本体の端面に、その端面側から指を挿入可能な凹部を、引戸本体の一方の表面側に跨るようにして形成し、さらに、この凹部の壁面を引戸本体の厚み方向に凹入させて、端面側から挿入した指を掛止させるための係止部を形成している。
【０００５】
また、特許文献３に係る引手は、引戸の木口に設けられた凹部に嵌め込まれる略凹字形状の本体と、この本体に設けられる押さえ部材とを備え、押さえ部材を構成する押さえ板と手掛け板とが別体となっており、押さえ部材の手掛け板を手を掛けた側とは反対の側に押しやると、押さえ板がガイドである内側鍔部に沿って移動すると共に、手掛け板も手を掛けた側とは反対の側により移動するので、手を掛けた側により大きなスペースが確保されるように構成されている。
【先行技術文献】
【特許文献】
【０００６】
【特許文献１】特開平１０−２８０７４１号公報
【特許文献２】特開２００３−１５５８５０号公報
【特許文献３】特開２００３−２７７７４号公報
【発明の概要】
【発明が解決しようとする課題】
【０００７】
特許文献２に係る引手は、端面側から指を挿入して係止部に掛止することにより戸袋等に完全に引込まれた状態の引戸を引出すことができるが、手掛かりが小さいため、操作しにくいという問題点があった。また、戸袋に完全に引込まれた状態の引戸を引出す際に、引戸の片面側からしか操作できないという問題点があった。
【０００８】
さらに、特許文献３に係る引手は、押さえ板の先端部がＴ字形に形成されており、このＴ字形の先端部が手掛け板の裏側の凹部において移動するため、押さえ板の移動範囲が小さく、特に厚さの薄い引戸の場合、手掛かりが小さいので、操作しにくいという問題点があった。また、手掛かりが平面ではないので、引戸を引出す操作の際に手触り感が良くないという問題点があった。
【０００９】
従って、本発明の目的は、引戸を開閉する際の手掛かりが十分に取れる引手及びこの引手を備えた引戸を提供することにある。
【００１０】
本発明の他の目的は、引戸本体が戸袋に完全に引込んだ状態であっても引戸の両面側から容易に引出し操作ができる引手及びこの引手を備えた引戸を提供することにある。
【００１１】
本発明のさらに他の目的は、手触り感が良く、操作性及びデザイン性に優れた引手及びこの引手を備えた引戸を提供することにある。
【課題を解決するための手段】
【００１２】
本発明によれば、引手は、上側腕部、下側腕部、並びに上側腕部及び下側腕部を連結する連結腕部を有し、断面（この引手が装着される引戸の厚みの中心線で切った断面）が開口端を有するコ字形状となるように構成されており、引戸の木口端に形成された切欠き凹部に嵌合して固着される枠部材と、開口端側の上側腕部及び下側腕部間に差し渡して設けられた手掛かり部材と、枠部材の連結腕部及び手掛かり部材間において、上側腕部及び下側腕部に軸支される回動軸を中心として回動自在に枠部材に装着された仕切り板とを備え、回動軸は仕切り板の連結腕部側に位置しており、仕切り板は枠部材の開口端側に向かって厚みが徐々に増大するテーパ部を有している。
【００１３】
このように本発明の引手は、仕切り板が枠部材の開口端側に向かって厚みが徐々に増大するテーパ部を有することにより、引戸を開閉する際に指を挟む恐れがなく、手掛かりを引戸の両面から十分に取れることができ、また、引戸本体が戸袋に完全に引込まれた状態であっても引戸の両面側から引出し操作が可能である。さらに、引戸を全開状態とする際に、仕切り板が引戸面（戸板面）より突出していても、そのテーパ部が戸袋に当たって摺動して回動することから、仕切り板は突出状態から元の状態にスムーズに戻ることができる。
【００１４】
仕切り板の他方の端部の表面が凸円弧状断面を有しており、手掛かり部材の仕切り板側の表面が、凸円弧状断面と対応する凹円弧状断面を有していることが好ましい。これにより、仕切り板と手掛かり部材との間の隙間が小さく、かつ引戸の一方の面からのこの引手の隙間を通して他方を透視することを防止できる。
【００１５】
枠部材の上側腕部の下面及び下側腕部の上面に仕切り板の回動角度を制限するストッパがそれぞれ設けられていることも好ましい。これにより、仕切り板が大きく回動して隙間が開くのを防ぐことができ、引戸の向こう側が見えてしまうような不都合を防止することができる。
【００１６】
手掛かり部材は、引戸の戸板厚より薄い厚さを有しており、厚さ方向の両面に凹溝が形成されていることも好ましい。これにより、引戸本体が戸袋に完全に引込まれた状態であっても引手の両側面を摘むことができ、引出し操作が容易となる。
【００１７】
枠部材の両側面から装着され、切欠き凹部に嵌合可能な１対のコ字形状フレームをさらに備えていることも好ましい。これにより、引手の見栄えが良好となり、デザイン性を向上させることができると共に、多種の戸板厚に対応できる。
【００１８】
本発明によれば、引戸は、上述した本発明の引手を用いることで、指を挟む恐れがなく、手掛かりが引戸の両面側から十分に取れることができ、また、引戸本体が戸袋に完全に引込まれた状態であっても引戸の両面側から引出し操作ができる。さらに、操作性及びデザイン性に優れた引戸を提供することができる。
【発明の効果】
【００１９】
本発明の引手によれば、仕切り板が枠部材の開口端側に向かって厚みが徐々に増大するテーパ部を有することにより、引戸を開閉する際に指を挟む恐れがなく、手掛かりが両面から十分に取れることができ、また、引戸本体が戸袋に完全に引込まれた状態であっても引戸の両面側から引出し操作ができる。さらに、引戸を全開状態とする際に、仕切り板が引戸面より突出していても、そのテーパ部が戸袋に当たって摺動することから、仕切り板は突出状態から元の状態にスムーズに戻ることができる。
【００２０】
本発明の引戸によれば、上述した本発明の引手を用いることで、指を挟む恐れがなく、手掛かりを引戸の両面側から十分に取れることができ、また、引戸本体が戸袋に完全に引込まれた状態であっても引戸の両面側から引出し操作ができる。さらに、操作性及びデザイン性に優れた引戸を提供することができる。
【図面の簡単な説明】
【００２１】
【図１】本発明に係る引手の構成を概略的に示す斜視図である。
【図２】図１の引手の構成を概略的に示す分解斜視図である。
【図３】図１の引手の構成を概略的に示す断面を含む斜視図である。
【図４】図１の引手の仕切り板の回動状態を示す断面図である。
【図５】本発明に係る引手の取り付け手順を概略的に示す斜視図である。
【図６】本発明に係る引手を用いた引戸を完全に引込んだ状態を示す斜視図である。
【図７】本発明に係る引手を用いた引戸をやや引出した状態を示す斜視図である。
【発明を実施するための形態】
【００２２】
以下、本発明に係る引手及びこの引手を備える引戸の実施形態を、図を参照して説明する。
【００２３】
図１は本発明の一実施形態における引手１００の構成を示しており、図２は引手１００の各部の構成を示しており、図３は指で仕切り板３０を押し、仕切り板３０が回動し手掛かりが形成された状態を示しており、図４は引手１００の仕切り板３０が戸袋２に当たる際の回動状態を示している。
【００２４】
図１〜図４に示すように、本実施形態に係る引手１００は、断面（この引手１００が装着される引戸１の厚みの中心線で切った断面、軸断面）が開口端を有するコ字形状となるように構成されており、引戸１の木口端に形成された切欠き凹部に嵌合して固着される枠部材１０を備えている。この枠部材１０は、上側腕部１１、下側腕部１２、並びにこれら上側腕部１１及び下側腕部１２を連結する連結腕部１３を有している。引手１００は、さらに、開口端側の上側腕部１１及び下側腕部１２間に差し渡して枠部材１０に固着された手掛かり部材２０と、枠部材１０の連結腕部１３及び手掛かり部材２０間において、上側腕部１１及び下側腕部１２に軸支される回動軸を中心として回動自在に枠部材に装着された仕切り板３０と、枠部材１０を両側面から装着され、コ字形状となるようにそれぞれ構成された１対のコ字形状フレーム４０ａ及び４０ｂとを備えている。
【００２５】
枠部材１０は、例えば、金属材料又は樹脂材料によって断面（この引手１００が装着される引戸１の厚みの中心線で切った断面、軸断面）がコ字形状となるように形成され、引戸１の木口端に形成された切欠き凹部に嵌合し固着されている。枠部材１０の上側腕部１１の連結腕部１３とは反対側の端（開口端）は上方へ折り曲がる折り曲げ部１１ａに接続されており、下側腕部１２の連結腕部１３とは反対側の端（開口端）は下方へ折り曲がる折り曲げ部１２ａに接続されている。これらの折り曲げ部１１ａ及び１２ａには、ねじによりこの枠部材１０を引戸に取り付けるための取り付け穴が形成されている。また、上側腕部１１及び下側腕部１２の連結腕部１３とは反対側の端近傍（開口端側）には、手掛かり部材２０を固着するためのねじの取り付け穴及び嵌合凸部が設けられている。また、上側腕部１１及び下側腕部１２の連結腕部１３の近傍には、回動軸が挿入される軸受け穴１５がそれぞれ設けられている。さらに、下側腕部１２の軸受け穴１５の近傍には仕切り板３０の回動角度を制限するための２つのストッパ１４が設けられている。また、枠部材１０の連結腕部１３には、その中心軸に沿って伸長する略半円柱状の凹溝１３ａが設けられている。この凹溝１３ａは、仕切り板３０の回動柱部３１を受け入れるように構成されている。
【００２６】
手掛かり部材２０は、例えば、金属材料又は樹脂材料から略角柱形状に形成され、枠部材１０の連結腕部１３とは反対側の端である開口端側で、上側腕部１１及び下側腕部１２間に差し渡して枠部材１０に固着されている。この手掛かり部材２０の上端及び下端には、枠部材１０の嵌合凸部に嵌合する取り付け用の嵌合溝２１がそれぞれ設けられている。手掛かり部材２０の背面（仕切り板３０と対向する面）２２は、凹円弧状断面の表面となるように構成されている。この凹円弧状断面は、後述する仕切り板３０の先端面３３の凸円弧状断面と対応している。また、手掛かり部材２０の両側面には凹円弧状断面を有する凹溝２３及び２４が形成されている。このような凹溝２３及び２４を設けることにより、引戸１が戸袋２（図４、図６及び図７参照）に完全に引込まれた状態であっても、この手掛かり部材２０の両側面の凹溝２３及び２４を摘むことができ、引出し操作が容易となる。
【００２７】
仕切り板３０は、例えば、金属材料又は樹脂材料から形成された板状部材である。この仕切り板３０は、枠部材１０の連結腕部１３側に回動柱部３１を備えており、この回動柱部３１の上下端部に回動軸挿入孔３１ａがそれぞれ設けられている。仕切り板３０は、さらに、枠部材１０の開口端側に、テーパ部３２を備えている。このテーパ部３２は、この開口端側に向かって厚みが徐々に増大する形状となっており、その先端が先端面３３を構成している。前述したように、この仕切り板３０の先端面３３は、手掛かり部材２０の凹円弧状断面と対応する凸円弧状断面となっている。仕切り板３０は、回動軸挿入孔３１ａにそれぞれ挿入されたピンからなる回動軸３４及びワッシャ３５を介して枠部材１０の連結腕部１３と手掛かり部材２０との間において、回動自在にこの枠部材１０に装着されている。即ち、上側腕部１１及び下側腕部１２にそれぞれ設けられた軸受け穴１５に軸支される回動軸３４を中心として回動自在に枠部材１０に装着されている。これにより、引戸１を閉じる際に、引戸１のいずれかの面から指で仕切り板３０を押すと、仕切り板３０が回動して手掛かりが形成され、引戸１を容易に引出すことができる。また、図４に示すように、厚さの薄い引戸１であっても、引戸１を全開状態とする際に、仕切り板３０が引戸面（戸板面）より突出していても、そのテーパ部３２が戸袋２に当たってなめらかに摺動して回動することから、仕切り板３０は突出状態から元の状態にスムーズに戻ることができる。そのため、本実施形態の引手１００は、厚さの薄い引戸１にも好適である。
【００２８】
コ字形状フレーム４０ａ及び４０ｂは、例えば、金属材料又は樹脂材料から形成されており、枠部材１０の両側面から装着される。より詳細には、コ字形状フレーム４０ａは、フレーム上側腕部４１ａ、フレーム下側腕部４２ａ、これらフレーム上側腕部４１ａ及びフレーム下側腕部４２ａを連結するフレーム連結腕部４３ａ、並びにこれらフレーム上側腕部４１ａ、フレーム下側腕部４２ａ及びフレーム連結腕部４３ａの側面に連結されたフランジ部４４ａを備えている。また、コ字形状フレーム４０ｂは、フレーム上側腕部４１ｂ、フレーム下側腕部４２ｂ、これらフレーム上側腕部４１ｂ及びフレーム下側腕部４２ｂを連結するフレーム連結腕部４３ｂ、並びにこれらフレーム上側腕部４１ｂ、フレーム下側腕部４２ｂ及びフレーム連結腕部４３ｂの側面に連結されたフランジ部４４ｂを備えている。フランジ部４４ａ及び４４ｂが枠部材１０の両側面に装着される。これらコ字形状フレーム４０ａ及び４０ｂそれぞれのフレーム上側腕部４１ａ及び４１ｂと、フレーム下側腕部４２ａ及び４２ｂとには、コ字形状フレーム４０ａ及び４０ｂを引戸１にねじで固着するための取り付け部４５ａ及び４５ｂが設けられている。
【００２９】
図５は引手１００の取り付け手順を示している。本実施形態の引手１００を引戸１に取り付ける際は、図５に示すように、まず、コ字形状フレーム４０ａ及び４０ｂを、この引戸１の木口端にあらかじめ形成されている切欠き凹部に引戸１の両側面側から当て嵌め、ねじ止めすることによって装着する。次に、手掛かり部材２０及び仕切り板３０が枠部材１０に装着されてなる引手本体を引戸１の切欠き凹部のコ字形状フレーム４０ａ及び４０ｂの内側に当て嵌め、ねじ止めすることによって装着する。これにより、外側から見た場合に、コ字形状フレーム４０ａ及び４０ｂが枠部材１０を引戸の両側から覆っているようになる。この場合、回動軸挿入孔３１ａと軸受け穴１５の位置を合わせて、回動軸３４を挿入することによって、回動軸が取り付けられる。引手１００をこのように取り付けることにより、仕切り板３０が枠部材１０の連結腕部１３と手掛かり部材２０との間で回動軸３４を中心として自在に回動でき、引戸の両面から手掛かりを形成することができる。
【００３０】
図６及び図７は引手１００を備えた引戸１の構成を示している。図６は引戸１が完全に引込まれた全開状態を示しており、図７は引戸１が完全な引込み状態からやや引出された状態を示している。
【００３１】
本実施形態の引手１００によれば、図６に示すように、引戸１を戸袋２に完全に引込まれ状態から引出す際に、手掛かり部材２０の両側面の凹溝２３及び２４を手で容易に摘むことができ、これによって引戸１を容易に引出すことができる。また、図７に示すように、戸袋２から引出した引戸１をさらに引出して全閉状態とする場合、手掛かり部材２０の背面２２に手を掛けることができ、これによって引戸１を容易に引出すことができる。
【００３２】
上述したように、本実施形態の引手１００は、枠部材１０と、手掛かり部材２０と、仕切り板３０と、１対のコ字形状フレーム４０ａ及び４０ｂとを備え、仕切り板３０は、枠部材１０の開口端側に向かって厚みが徐々に増大するテーパ部３４を有している。これにより、引戸１を開閉する際に指を挟む恐れがなく、手掛かりを引戸１の両面側から十分に取れることができ、また、引戸本体が戸袋２に完全に引込まれた状態であっても引戸１の両面側から引出し操作ができる。さらに、引戸１を全開状態とする際に、仕切り板３０が引戸面より突出していても、そのテーパ部３４が戸袋２に当たって摺動して回動することから、仕切り板３０は突出状態から元の状態にスムーズに戻ることができる。
【００３３】
仕切り板３０の先端面３３が、凸円弧状断面であり、手掛かり部材２０の仕切り板３０と対向する面（背面２２）が、凸円弧状断面と対応する凹円弧状断面であることにより、仕切り板３０と手掛かり部材２０との間の隙間が小さく、かつ引手１００の向こう側がこの隙間を通して見えてしまうことを防止できる。
【００３４】
枠部材１０の連結腕部１３近傍の上側腕部１１及び下側腕部１２に軸受け穴１５がそれぞれ設けられ、仕切り板３０の回動軸３４がこれら軸受け穴１５によって軸支されて枠部材１０に装着されていることにより、仕切り板３０は枠部材１０の連結腕部１３近傍の回動軸を中心にして回動することができる。
【００３５】
枠部材１０の下側腕部１２における軸受け穴１５の近傍に仕切り板３０の回動角度を制限する２つのストッパ１４が設けられていることにより、仕切り板３０の過大な回動を阻止し、引手１００の向こう側から見えるような隙間が形成されることを防止することができる。
【００３６】
手掛かり部材２０は、引戸１の戸板厚より薄く形成されており、厚さ方向の両面に凹溝が形成されていることにより、引戸１が戸袋２に完全に引込まれた状態であっても両側面の凹溝２３及び２４を手で容易に摘むことができ、引出す操作が非常に容易となる。
【００３７】
フランジ部４４ａ及び４４ｂが枠部材１０の両側から装着される１対のコ字形状フレーム４０ａ及び４０ｂをさらに備えていることにより、引手１００の見栄えがよく、デザイン性を向上することができると共に、多種の戸板厚に対応できる。
【００３８】
なお、上述した実施形態の引手１００においては、仕切り板３０の端部の両側面側にテーパ部３２を有するものについて説明したが、本発明はこれに限定されるものではない。例えば、仕切り板３０の端部の片側面側にのみテーパ部３２を有するようにしてもよい。このような端部の片側面側にのみテーパ部を有する引手は、片側のみで開閉操作を行う襖や障子、引戸等に適する。
【００３９】
また、上述した実施形態では、引手１００を用いた引戸１の例を説明したが、本発明はこれに限定されるものではなく、引戸以外、例えば襖や障子等にも本発明を適用することができる。
【００４０】
また、上述した実施形態において、枠部材１０と手掛かり部材２０とは、個別に形成されて、略角柱形状に形成された手掛かり部材２０は、枠部材１０の連結腕部１３とは反対側の端である開口端側で、上側腕部１１及び下側腕部１２間に差し渡して枠部材１０に固着されている例を説明したが、本発明はこれに限定されるものではなく、枠部材１０と手掛かり部材２０とは、一体に形成されてもよい。
【００４１】
さらに、上述した実施形態において、枠部材１０の上側腕部１１及び下側腕部１２の連結腕部１３の近傍には、回動軸が挿入される軸受け穴１５がそれぞれ設けられ、仕切り板３０は、回動軸挿入孔３１ａにそれぞればね挿入されたピンからなる回動軸３４が設けられている例を説明したが、本発明はこれに限定されるものではなく、例えば、枠部材１０の上側腕部１１及び下側腕部１２の連結腕部１３の近傍に回動軸としての突起を設け、手掛け部材に穴を設け嵌合し回動させるようにしてもよい。
【００４２】
本発明は、上記の実施形態に限定されるものでなく、特許請求の範囲に記載された発明の要旨を逸脱しない範囲内での種々、設計変更した形態を技術的範囲に含むものである。
【産業上の利用可能性】
【００４３】
本発明は、襖や障子、建物の出入口に設けられる引戸等に用いられる引手の操作性及びデザイン性を向上する目的に利用できる。
【符号の説明】
【００４４】
１  引戸
２  戸袋
１０  枠部材
１１  上側腕部
１１ａ、１２ａ  折り曲げ部
１２  下側腕部
１３  連結腕部
１３ａ  凹溝
１４  ストッパ
１５  軸受け穴
２０  手掛かり部材
２１  嵌合溝
２２  背面
２３、２４  凹溝
３０  仕切り板
３１  回動柱部
３１ａ  回動軸挿入孔
３２  テーパ部
３３  先端面
３４  回動軸
３５  ワッシャ
４０ａ、４０ｂ  コ字形状フレーム
４１ａ、４１ｂ  フレーム上側腕部
４２ａ、４２ｂ  フレーム下側腕部
４３ａ、４３ｂ  フレーム連結腕部
４４ａ、４４ｂ  フランジ部
４５ａ、４５ｂ  取り付け部
１００  引手
【図１】
2015200135.tif 000003
【図２】
2015200135.tif 000004
【図３】
2015200135.tif 000005
【図４】
2015200135.tif 000006
【図５】
2015200135.tif 000007
【図６】
2015200135.tif 000008
【図７】
2015200135.tif 000009